(57)【要約】【課題】着座時の安定性を高く保ちつつ、折り畳み時における作業者の手先や衣服の挟み込みを抑制することができる椅子を提供する。【解決手段】椅子は、展開状態と折り畳み状態とに状態変化可能とされている。展開状態は、前側脚柱１１Ｌ，１１Ｒと後側脚柱１３Ｌ，１３Ｒの各接地部が椅子奥行方向前後で離間し、かつ座体２０の座面２０ａが略水平姿勢となる。折り畳み状態は、前側脚柱１１Ｌ，１１Ｒと後側脚柱１３Ｌ，１３Ｒの各接地部が椅子奥行方向前後で近接し、かつ座体２０の座面２０ａが前側脚柱１１Ｌ，１１Ｒと略平行になる。折り畳み状態での、前側脚柱１１Ｌ，１１Ｒと後側脚柱１３Ｌ，１３Ｒの間に、脚枢軸の近傍部の椅子奥行方向前後の離間幅が、接地部の近傍部の椅子奥行方向前後の離間幅よりも広がる空間部３０が設けられている。【選択図】図５
2019080773.tif 000002
【特許請求の範囲】
【請求項１】
下端に接地部を有し椅子奥行方向前後で対向して配置される前側脚柱、及び、後側脚柱と、
各前記接地部が椅子奥行方向で近接離反するように前記前側脚柱と前記後側脚柱を回動可能に連結する脚枢軸と、
座面を有する座体と、
前記後側脚柱の前記脚枢軸よりも前記接地部寄り位置で前記座体の後部を回動可能に枢支する第１枢軸と、
前記前側脚柱の前記脚枢軸よりも前記接地部寄り位置で前記座体を回動可能に枢支する第２枢軸と、を備え、
前記前側脚柱と前記後側脚柱の各接地部が椅子奥行方向前後で離間し、かつ前記座体の前記座面が略水平姿勢となる展開状態と、前記前側脚柱と前記後側脚柱の各接地部が椅子奥行方向前後で近接し、かつ前記座体の前記座面が前記前側脚柱と略平行になる折り畳み状態と、に状態変化可能な椅子において、
前記折り畳み状態での、前記前側脚柱と前記後側脚柱の間に、前記脚枢軸の近傍部の椅子奥行方向前後の離間幅が、前記接地部の近傍部の椅子奥行方向前後の離間幅よりも広がる空間部が設けられていることを特徴とする椅子。
【請求項２】
前記前側脚柱と前記後側脚柱の少なくともいずれか一方には、前記折り畳み状態で、前記脚枢軸から離れるにしたがって前記前側脚柱と前記後側脚柱の一方に対して他方が椅子奥行方向に離間する離間部が設けられ、
前記空間部は、前記折り畳み状態での、前記前側脚柱と前記後側脚柱の前記接地部側の当接部と、前記離間部の間に形成されていることを特徴とする請求項１に記載の椅子。
【請求項３】
前記離間部は、前記後側脚柱に設けられていることを特徴とする請求項２に記載の椅子。
【請求項４】
前記後側脚柱は、脚柱本体と、該脚柱本体に進退自在に保持されるとともに一端部が前記脚枢軸によって前記前側脚柱側に連結される連結部材と、を有し、
前記第１枢軸は、前記脚柱本体に設けられていることを特徴とする請求項１〜３のいずれか１項に記載の椅子。
【請求項５】
前記連結部材は、前記脚柱本体よりも断面外形が小さく形成され、
前記空間部は、少なくとも前記連結部材と前記前側脚柱の間に形成されていることを特徴とする請求項４に記載の椅子。
【発明の詳細な説明】
【技術分野】
【０００１】
本発明は、折り畳み可能な椅子に関するものである。
【背景技術】
【０００２】
会議場やイベント会場等において、折り畳み可能な椅子が用いられることがある。この種の椅子は、パイプ材等からなる前側脚体と後側脚体が回動可能に連結されるとともに、後側脚体に座体の後部が回動可能に枢支されている。そして、この種の椅子は、使用時には、前側脚体と後側脚体の各接地部が椅子奥行方向前後で離間し、かつ座体の座面が略水平になる展開状態とする。また、不使用時に片づけるときには、前側脚体と後側脚体の各接地部が椅子奥行方向前後で近接し、かつ座体の座面が前側脚体と略平行になる折り畳み状態とする。
【０００３】
特許文献１に記載の椅子は、後側脚体の左右の脚柱が前側脚体の左右の脚柱と椅子幅方向でほぼ同位置となるように回動可能に連結されている。したがって、この椅子の場合、展開状態では、前側脚体と後側脚体がほぼ同幅で床面等の接地面に接地し、折り畳み状態では、後側脚体の左右の脚柱が前側脚体の対応する脚柱の後部に重なることになる。
【０００４】
特許文献２に記載の椅子は、後側脚体の左右の脚柱が前側脚体の左右の脚柱の椅子幅方向外側に配置されるように回動可能に連結されている。したがって、この椅子の場合、展開状態では、前側脚体が後側脚体よりも狭い幅で床面等の接地面に接地し、折り畳み状態では、前側脚体の左右の脚柱が後側脚体の左右の脚柱の内側に位置されることになる。
【先行技術文献】
【特許文献】
【０００５】
【特許文献１】実公平０６−０１２６８２号公報
【特許文献２】特開２００２−３０６２７０号公報
【発明の概要】
【発明が解決しようとする課題】
【０００６】
特許文献１に記載の椅子においては、後側脚体の左右の脚柱が前側脚体の左右の脚柱と椅子幅方向でほぼ同位置となるように連結されているため、展開状態から折り畳み状態にするときに、後側脚体の脚柱と前側脚体の脚柱の椅子奥行方向前後の隙間が漸次小となる挙動をとる。このため、椅子を折り畳み状態とするときに、前側脚体と後側脚体の脚柱間に作業者の手先や衣服が挟み込まれることが懸念される。
【０００７】
一方、特許文献２に記載の椅子は、後側脚体の左右の脚柱が前側脚体の左右の脚柱の椅子幅方向外側に配置されるように連結されているため、前側脚体の左右の脚柱の離間幅を狭めれば、折り畳み時に、後側脚体と前側脚体の脚柱間に作業者の手先や衣服が挟み込まれにくくなる。しかし、この場合、前側脚体の左右の脚柱の離間幅が狭くなるため、その分着座時における椅子の安定性が低下してしまう。
【０００８】
そこで本発明は、着座時の安定性を高く保ちつつ、折り畳み時における作業者の手先や衣服の挟み込みを抑制することができる椅子を提供しようとするものである。
【課題を解決するための手段】
【０００９】
本発明に係る椅子は、上記課題を解決するために、以下の構成を採用した。
本発明に係る椅子は、下端に接地部を有し椅子奥行方向前後で対向して配置される前側脚柱、及び、後側脚柱と、各前記接地部が椅子奥行方向で近接離反するように前記前側脚柱と前記後側脚柱を回動可能に連結する脚枢軸と、座面を有する座体と、前記後側脚柱の前記脚枢軸よりも前記接地部寄り位置で前記座体の後部を回動可能に枢支する第１枢軸と、前記前側脚柱の前記脚枢軸よりも前記接地部寄り位置で前記座体を回動可能に枢支する第２枢軸と、を備え、前記前側脚柱と前記後側脚柱の各接地部が椅子奥行方向前後で離間し、かつ前記座体の前記座面が略水平姿勢となる展開状態と、前記前側脚柱と前記後側脚柱の各接地部が椅子奥行方向前後で近接し、かつ前記座体の前記座面が前記前側脚柱と略平行になる折り畳み状態と、に状態変化可能な椅子において、前記折り畳み状態での、前記前側脚柱と前記後側脚柱の間に、前記脚枢軸の近傍部の椅子奥行方向前後の離間幅が、前記接地部の近傍部の椅子奥行方向前後の離間幅よりも広がる空間部が設けられていることを特徴とする。
【００１０】
上記の構成により、椅子を使用する場合には、前側脚柱と後側脚柱の接地部が椅子奥行方向前後で離間するように前側脚柱と後側脚柱を回動変位させ、かつ座面が略水平となるように座体を回動変位させる。また、この状態から椅子を折り畳む場合には、前側脚柱と後側脚柱の接地部が椅子奥行方向前後で近接するように前側脚柱と後側脚柱を回動変位させ、かつ座面が前側脚柱と略平行になるように座体を回動変位させる。このとき、前側脚柱と後側脚柱の椅子奥行方向前後の幅は狭まるが、折り畳み状態では、脚枢軸の近傍部の椅子奥行方向前後の離間幅が広がる空間部が前側脚柱と後側脚柱の間に形成される。したがって、前側脚柱と後側脚柱の間の脚枢軸の近傍部には、作業者の手先や衣服が挟み込まれにくくなる。その一方、椅子を折り畳んだ後には、前側脚柱と後側脚柱の接地部の近傍部の椅子奥行方向前後の離間幅が狭まるため、椅子を容易に取り扱うことが可能になるとともに、椅子を収納場所にコンパクトに収納することが可能になる。
【００１１】
前記前側脚柱と前記後側脚柱の少なくともいずれか一方には、前記折り畳み状態で、前記脚枢軸から離れるにしたがって前記前側脚柱と前記後側脚柱の一方に対して他方が椅子奥行方向に離間する離間部が設けられ、前記空間部は、前記折り畳み状態での、前記前側脚柱と前記後側脚柱の前記接地部側の当接部と、前記離間部の間に形成されるようにしても良い。
この場合、前側脚柱と後側脚柱の少なくともいずれか一方に離間部を設け、前側脚柱と後側脚柱を接地部側で当接させることにより、前側脚柱と後側脚柱の間に空間部を容易に形成することができる。
【００１２】
前記離間部は、前記後側脚柱に設けられることが望ましい。
この場合、離間部が椅子の前方側から見えにくくなるため、前方側からの椅子の見栄えを良好に保つことができる。
【００１３】
前記後側脚柱は、脚柱本体と、該脚柱本体に進退自在に保持されるとともに一端部が前記脚枢軸によって前記前側脚柱側に連結される連結部材と、を有し、前記第１枢軸は、前記脚柱本体に設けられるようにしても良い。
この場合、椅子を折り畳み状態にするときには、前側脚柱と後側脚柱を、脚枢軸を中心として折り畳み方向に回動させると、座体が前側脚柱側の第２枢軸を支点として回動しつつ、後側脚柱の脚柱本体が連結部材に対して伸び方向に変位する。このとき、座体は、後部側が後側脚柱側の第１枢軸で回動しつつ、前方側が接地部と離反する側に跳ね上がる。また、逆に椅子を折り畳み状態から展開状態にするときには、前側脚柱と後側脚柱を、脚枢軸を中心として展開方向に回動させると、座体が前側脚柱側の第２枢軸を支点として回動しつつ、後側脚柱の脚柱本体が連結部材に対して縮み方向に変位する。このとき、座体は、後部側が後側脚柱側の第１枢軸で回動しつつ、前方側が略水平姿勢になるように展開する。したがって、この構成を採用した場合には、椅子の折り畳み時や展開時に、前側脚柱と後側脚柱の回動動作に座体の動作を連動させることができ、しかも、前側脚柱と後側脚柱の間に作業者の手先や衣服が挟み込まれるのを回避することができる。
【００１４】
前記連結部材は、前記脚柱本体よりも断面外形が小さく形成され、前記空間部は、少なくとも前記連結部材と前記前側脚柱の間に形成されるようにしても良い。
この場合、脚柱本体よりも断面外形の小さい連結部材と前側脚柱の間に空間部が形成されるため、空間部の椅子奥行方向の幅を容易に大きく確保することができる。
【発明の効果】
【００１５】
本発明によれば、折り畳み状態での、前側脚柱と後側脚柱の間に、脚枢軸の近傍部の椅子奥行方向前後の離間幅が、接地部の近傍部の椅子奥行方向前後の離間幅よりも広がる空間部が設けられているため、椅子の折り畳み作業時に前側脚柱と後側脚柱の間の脚枢軸の近傍部に作業者の手先や衣服が挟み込まれるのを回避することができる。また、本発明によれば、前側脚柱と後側脚柱を椅子幅方向に大きくずらして連結するものではないため、着座時における椅子の安定性を阻害することもない。したがって、本発明によれば、着座時の安定性を高く保ちつつ、折り畳み時における作業者の手先や衣服の挟み込みを抑制することができる。
【図面の簡単な説明】
【００１６】
【図１】本発明の一実施形態の椅子を前部上方から見た斜視図である。
【図２】本発明の一実施形態の椅子を後部上方から見た斜視図である。
【図３】本発明の一実施形態の椅子の展開状態での側面図である。
【図４】本発明の一実施形態の椅子の折り畳み途中の状態の側面図である。
【図５】本発明の一実施形態の椅子の折り畳み状態での側面図である。
【発明を実施するための形態】
【００１７】
以下、本発明の一実施形態を図面に基づいて説明する。
以下の説明においては、説明の便宜上、椅子１０の座体２０に正規姿勢で着座した着座者が前を向く方向を「前」と称し、その反対方向を「後」と称する。また、以下の説明における上下、左右の向きは、着座者が座体２０に正規姿勢で着座したときの着座者を中心とした向きと合致する向きを意味するものとする。椅子１０の左右方向は椅子幅方向に相当し、椅子１０の前後方向は椅子奥行方向に相当する。なお、図中の適所には、前方を指す矢印ＦＲと、上方を指す矢印ＵＰと、左側方を指す矢印ＬＨが記されていている。
【００１８】
図１は、床面１上に設置した本実施形態に係る椅子１０を前部左斜め上方から見た図であり、図２は、床面１上に設置した椅子１０を後部左斜め上方から見た図である。また、図３は、床面１上に設置した椅子１０を左側方から見た図である。
これらの図に示すように、椅子１０は、椅子幅方向に離間して配置された左右一対の前側脚柱１１Ｌ，１１Ｒと、左右の前側脚柱１１Ｌ，１１Ｒの上部寄りの中間領域に、脚枢軸であるリベット１２を介して回動可能に連結された左右一対の後側脚柱１３Ｌ，１３Ｒと、左右の前側脚柱１１Ｌ，１１Ｒと後側脚柱１３Ｌ，１３Ｒとに支持された座体２０と、左右の前側脚柱１１Ｌ，１１Ｒの上部領域間に架設された背凭れ１４と、を備えている。
【００１９】
前側脚柱１１Ｌ，１１Ｒは、金属製のパイプ材によって形成されており、下端部には接地部である樹脂製の底部キャップ１５Ａが取り付けられている。前側脚柱１１Ｌ，１１Ｒの各上端部には、樹脂、若しくは、木材から成る背凭れ１４の左右の側縁部が嵌合状態で固定されている。背凭れ１４は、椅子幅方向の中央領域が後方に向かって湾曲し、座体２０の座面２０ａ（上面）に着座した着座者の背部を支持し得るようになっている。また、左右の前側脚柱１１Ｌ，１１Ｒの下部領域同士は、椅子幅方向に沿って延びる金属パイプ製の前側連結支柱１６によって相互に連結されている。
【００２０】
後側脚柱１３Ｌ，１３Ｒは、下端部に接地部である底部キャップ１５Ｂが取り付けられた脚柱本体１７と、脚柱本体１７の上端部に進退自在（摺動自在）に保持された連結支柱１８（連結部材）と、を有している。脚柱本体１７は金属製のパイプ材によって形成され、連結支柱１８は金属製のパイプ材、若しくは、中実の金属材によって形成されている。連結支柱１８の下部領域は、脚柱本体１７の内径よりも小さい外径に形成されており、脚柱本体１７の上部領域に摺動自在に嵌入されている。なお、本実施形態の場合、連結支柱１８の下部領域と脚柱本体１７は断面円形状に形成されているが、これらは必ずしも断面円形状でなくても良い。これらは断面円形状でない場合にも、連結支柱１８の下部領域の断面外形が脚柱本体１７の断面外形よりも小さいことが望ましい。ただし、連結支柱１８の断面外形を脚柱本体１７の断面外形よりも大きくし、脚柱本体１７の上部が連結支柱１８の内部に進退自在（摺動自在）に保持されるようにしても良い。
【００２１】
また、脚柱本体１７の周壁には、脚柱本体１７を直径方向に貫通する係止ピン３３が取り付けられている。係止ピン３３は、例えば、リベットによって構成され、図３に示すように、脚柱本体１７に挿入された連結支柱１８の下端が当接可能とされている。係止ピン３３は、連結支柱１８の下端と当接することによって脚柱本体１７に対する連結支柱１８の進入量を規制し、それによって前側脚柱１１Ｌ，１１Ｒと後側脚柱１３Ｌ，１３Ｒの開度や座体２０の展開方向の回動を規制する。したがって、係止ピン３３は、脚枢軸であるリベット１２や第２枢軸２６等とともに展開状態での座体２０の支持部を構成している。
【００２２】
連結支柱１８の上部には、前方に向かって湾曲、若しくは、屈曲する曲がり部１９が形成されている。本実施形態の場合、曲がり部１９は、椅子１０の折り畳み状態で、リベット１２の軸（脚枢軸）から離れるにしたがって前側脚柱１１Ｌ，１１Ｒと後側脚柱１３Ｌ，１３Ｒの一方に対して他方が椅子奥行方向に離間する離間部を構成している。曲がり部１９の先端側は、椅子幅方向の肉厚の薄い板状部２１によって構成されている。板状部２１は、左右の対応する前側脚柱１１Ｌ，１１Ｒの後壁に形成されたスリット２５に差し入れられ、その状態で脚枢軸であるリベット１２によって対応する前側脚柱１１Ｌ，１１Ｒに回動可能に連結されている。リベット１２は、軸部が椅子幅方向に沿って延び、接地部（底部キャップ１５Ａ，１５Ｂ）が椅子奥行方向前後で近接離反するように前側脚柱１１Ｌ，１１Ｒと後側脚柱１３Ｌ，１３Ｒを回動可能に連結する。また、左右の後側脚柱１３Ｌ，１３Ｒ（脚柱本体１７）の下部領域同士は、椅子幅向に沿って延びる金属パイプ製の後側連結支柱２２によって相互に連結されている。
【００２３】
左右の脚柱本体１７の上部領域（係止ピン３３の設置部よりも上方側の領域）には、金属製のブラケット２３が取り付けられている。ブラケット２３は、脚柱本体１７の椅子幅方向の内側面から前方に延び、前端部に第１枢軸２４が保持されている。ブラケット２３は、座体２０の後部側の側面に重ねられ、第１枢軸２４によって座体２０の後部を回動可能に支持する。第１枢軸２４は、椅子幅方向に沿って延び、座体２０の後部を、ブラケット２３を介して後側脚柱１３Ｌ，１３Ｒに回動可能に支持する。
【００２４】
左右の前側脚柱１１Ｌ，１１Ｒのリベット１２の設置部よりも下方側位置には、第２枢軸２６が椅子幅方向内側に向かって突設されている。第２枢軸２６は、椅子幅方向に沿って延び、その先端部側が座体２０の側面のうちの前後方向の略中央領域に回動可能に連結されている。
【００２５】
ここで、本実施形態に係る椅子１０は、使用時には展開状態とし、不使用時には折り畳み状態とすることができる。即ち、本実施形態に係る椅子１０は、展開状態と折り畳み状態との間で状態変化可能とされている。
図１〜図３に示す状態は展開状態である。展開状態では、前側脚柱１１Ｌ，１１Ｒと後側脚柱１３Ｌ，１３Ｒの各接地部（底部キャップ１５Ａ，１５Ｂ）が椅子奥行方向前後に最大に離間し、かつ座体２０の座面２０ａが略水平姿勢とされる。椅子１０が展開状態とされたときには、前側脚柱１１Ｌ，１１Ｒと後側脚柱１３Ｌ，１３Ｒが脚枢軸であるリベット１２を中心として椅子奥行方向前後に開き、かつ後側脚柱１３Ｌ，１３Ｒの連結支柱１８が脚柱本体１７内に進入するとともに、座体２０が略水平となるように第１，第２枢軸２４，２６を支点して回動し、その状態で連結支柱１８の下端が係止ピン３３に当接している。
【００２６】
図４は、椅子１０を展開状態から折り畳み状態に状態変化させるとき、若しくは、折り畳み状態から展開状態に状態変化させるときの中間状態での椅子１０を左側方から見た図である。また、図５は、折り畳み状態の椅子１０を左側方から見た図である。
図５に示すように、折り畳み状態では、前側脚柱１１Ｌ，１１Ｒと後側脚柱１３Ｌ，１３Ｒの各接地部（底部キャップ１５Ａ，１５Ｂ）が椅子奥行方向前後で近接し、かつ座体２０の座面２０ａが前側脚柱１１Ｌ，１１Ｒと略平行になる。前側脚柱１１Ｌ，１１Ｒの下端の底部キャップ１５Ａには、後側脚柱１３Ｌ，１３Ｒの下端近傍の前面に当接可能な当接壁１５Ａａが設けられている。折り畳み状態では、前側脚柱１１Ｌ，１１Ｒの下端は、底部キャップ１５Ａの当接壁１５Ａａを介して、後側脚柱１３Ｌ，１３Ｒの前面に当接する。底部キャップ１５Ａ，１５Ｂは、金属製のパイプ材よりも相対的に硬度が小である合成樹脂から成る成形品である。当接壁１５Ａａは、前側の底部キャップ１５Ａに一体に形成されている。ただし、当接壁１５Ａａは、二色成形等の手段により、底部キャップ１５Ａの本体部よりも軟質な素材によって形成するようにしていも良い。
【００２７】
ここで、椅子１０が展開状態から折り畳み状態に変化するときの各部の動作について説明する。椅子１０が展開状態のときには、図３に示すように、後側脚柱１３Ｌ，１３Ｒの連結支柱１８は脚柱本体１７の内部に最大に進入している。座体２０は、この状態において、第１枢軸２４を中心として前方に倒れ、座面２０ａが略水平になる位置で前後方向の略中央部が第２枢軸２６によって支持されている。
【００２８】
この状態から椅子１０を折り畳み状態にするときには、後側脚柱１３Ｌ，１３Ｒを、リベット１２による枢支部を中心として前側脚柱１１Ｌ，１１Ｒに近接する方向に回動させる。このとき、図４に示すように、後側脚柱１３Ｌ，１３Ｒの脚柱本体１７が連結支柱１８に対して伸び方向に摺動変位しつつ、座体２０の後部がブラケット２３上の第１枢軸２４を中心として回動する。また、座体２０の前後方向の略中央部は、前側脚柱１１Ｌ，１１Ｒの第２枢軸２６の回りに回動する。こうして、前側脚柱１１Ｌ，１１Ｒに対する後側脚柱１３Ｌ，１３Ｒの回動変位が進行すると、図５に示すように、最終的に後側脚柱１３Ｌ，１３Ｒが前側脚柱１１Ｌ，１１Ｒの下端の底部キャップ１５Ａの当接壁１５Ａａに当接し、座体２０の座面２０ａが前側脚柱１１Ｌ，１１Ｒと略平行になる。
【００２９】
また、椅子１０を折り畳み状態から展開状態にするときには、後側脚柱１３Ｌ，１３Ｒを、リベット１２による枢支部を中心として前側脚柱１１Ｌ，１１Ｒから離間する方向に回動させる。このとき、後側脚柱１３Ｌ，１３Ｒの脚柱本体１７が連結支柱１８に対して縮み方向に摺動変位しつつ、座体２０が第１枢軸２４と第２枢軸２６を支点として略水平姿勢となるまで回動する。そして、脚柱本体１７が縮み方向に所定量変位して座体２０が略水平となるまで回動すると、連結支柱１８の下端が係止ピン３３に当接する。この結果、座体２０は略水平姿勢のまま前側脚柱１１Ｌ，１１Ｒと後側脚柱１３Ｌ，１３Ｒに安定して支持されることになる。
【００３０】
本実施形態に係る椅子１０は、後側脚柱１３Ｌ，１３Ｒの連結支柱１８の上部に曲がり部１９が形成され、折り畳み状態での前側脚柱１１Ｌ，１１Ｒと後側脚柱１３Ｌ，１３Ｒの間に、脚枢軸（リベット１２）の近傍部の椅子奥行方向前後の離間幅が、接地部（底部キャップ１５Ａ，１５Ｂ）の近傍部の椅子奥行方向前後の離間幅よりも広がる空間部３０が設けられている。本実施形態の場合、空間部３０のうち曲がり部１９の近傍領域（脚柱本体１７よりもリベット１２による近傍部側の領域）では、前側脚柱１１Ｌ，１１Ｒと後側脚柱１３Ｌ，１３Ｒの椅子奥行方向の離間幅が、９．５ｍｍ以上、望ましくは１３ｍｍ以上に設定されている。
【００３１】
以上のように、本実施形態の椅子１０においては、折り畳み状態での、前側脚柱１１Ｌ，１１Ｒと後側脚柱１３Ｌ，１３Ｒの間に、脚枢軸（リベット１２）の近傍部の椅子奥行方向前後の離間幅が、接地部（底部キャップ１５Ａ，１５Ｂ）の近傍部の椅子奥行方向前後の離間幅よりも広がる空間部３０が設けられているため、椅子１０の折り畳み時に、前側脚柱１１Ｌ，１１Ｒと後側脚柱１３Ｌ，１３Ｒの間のリベット１２による連結部の近傍に作業者の手先や衣服が挟み込まれるのを回避することができる。一方、椅子１０が折り畳み状態のときには、前側脚柱１１Ｌ，１１Ｒと後側脚柱１３Ｌ，１３Ｒの接地部側の離間幅が狭まるため、折り畳み時における前側脚柱１１Ｌ，１１Ｒと後側脚柱１３Ｌ，１３Ｒの端部の取り扱いが容易になる。また、折り畳み状態では、前側脚柱１１Ｌ，１１Ｒと後側脚柱１３Ｌ，１３Ｒの接地部寄りの領域の椅子奥行方向の占有幅が狭まるため、椅子１０を収納場所にコンパクトに収納することができる。
【００３２】
また、本発明の椅子１０においては、前側脚柱１１Ｌ，１１Ｒの椅子幅方向の離間距離と、後側脚柱１３Ｌ，１３Ｒの椅子幅方向の離間距離がほぼ同幅とされている。このため、着座時における椅子１０の安定性を高く維持することができる。
したがって、本実施形態の椅子１０を採用した場合には、着座時の安定性を高く保ちつつ、折り畳み時における作業者の手先や衣服の挟み込みを抑制することができる。
【００３３】
また、本実施形態に係る椅子１０は、後側脚柱１３Ｌ，１３Ｒのリベット１２による連結部の近傍に曲がり部１９が設けられ、折り畳み状態での、前側脚柱１１Ｌ，１１Ｒと後側脚柱１３Ｌ，１３Ｒの接地部側の当接部と、曲がり部１９との間に空間部３０が形成されている。このため、後側脚柱１３Ｌ，１３Ｒに曲がり部１９を設けるだけで、後側脚柱１３Ｌ，１３Ｒと前側脚柱１１Ｌ，１１Ｒの間に空間部３０を容易に形成することができる。特に、本実施形態のように、椅子１０の折り畳み時に前側脚柱１１Ｌ，１１Ｒと後側脚柱１３Ｌ，１３Ｒの接地部側の端部が相互に当接するようにした場合には、椅子１０の折り畳みとその後の搬送等を安定して行うことができる。なお、後側脚柱１３Ｌ，１３Ｒのリベット１２による連結部の近傍に曲がり部１９を設けるのに代えて、前側脚柱１１Ｌ，１１Ｒのリベット１２による連結部の近傍に曲がり部を設けるようにしても良い。また、曲がり部は、後側脚柱１３Ｌ，１３Ｒと前側脚柱１１Ｌ，１１Ｒの両方に設けるようにしても良い。
ただし、本実施形態のように、曲がり部１９を後側脚柱１３Ｌ，１３Ｒのみに設けるようにした場合には、曲がり部１９が椅子１０の前方側から見えにくくなるため、前方側からの椅子１０の見栄えを良好に保つことができる。
【００３４】
また、本実施形態に係る椅子１０においては、脚柱本体１７に進退自在に保持される連結支柱１８の上部に曲がり部１９が設けられているため、椅子１０を折り畳み状態から展開状態にするときに、曲がり部１９によって脚柱本体１７に対する連結支柱１８の過大な進入を規制することができる。
【００３５】
また、本実施形態の椅子１０では、座体２０の第１枢軸２４よりも前側領域が第２枢軸２６によって回動可能に前側脚柱１１Ｌ，１１Ｒに枢支され、後側脚柱１３Ｌ，１３Ｒが、脚柱本体１７と、該脚柱本体１７に進退自在に保持される連結支柱１８と、を有している。そして、連結支柱１８の端部は脚枢軸であるリベット１２によって前側脚柱１１Ｌ，１１Ｒに連結され、座体２０の後部を枢支する第１枢軸２４とブラケット２３は脚柱本体１７に支持されている。したがって、本実施形態の構成を採用した場合には、椅子１０の折り畳み時や展開時に、前側脚柱１１Ｌ，１１Ｒと後側脚柱１３Ｌ，１３Ｒの回動動作に座体２０の跳ね上げや展開動作を連動させることができ、しかも、このとき前側脚柱１１Ｌ，１１Ｒと後側脚柱１３Ｌ，１３Ｒの間に作業者の手先や衣服を挟み込まれるを回避することができる。
【００３６】
さらに、本実施形態の椅子１０においては、後側脚柱１３Ｌ，１３Ｒの連結支柱１８が脚柱本体１７よりも断面外形が小さく形成され、空間部３０が少なくとも連結支柱１８と前側脚柱１１Ｌ，１１Ｒの間に形成されている。このため、この構成を採用した場合には、曲がり部１９の下方側に椅子奥行方向の幅の広い空間部３０を容易に形成することができる。
【００３７】
なお、本発明は上記の実施形態に限定されるものではなく、その要旨を逸脱しない範囲で種々の設計変更が可能である。例えば、上記の実施形態においは、脚枢軸（リベット１２）が前側脚柱１１Ｌ，１１Ｒと後側脚柱１３Ｌ，１３Ｒに直接回動可能に連結されているが、前側脚柱１１Ｌ，１１Ｒの上部に取り付けられる背凭れ１４（前側脚柱１１Ｌ，１１Ｒの上部と背凭れ１４との連結部）に脚枢軸を設け、前側脚柱１１Ｌ，１１Ｒと後側脚柱１３Ｌ，１３Ｒを背凭れ１４を介して回動可能に連結するようにしても良い。
【符号の説明】
【００３８】
１０  椅子
１１Ｌ，１１Ｒ  前側脚柱
１２  リベット（脚枢軸）
１３Ｌ，１３Ｒ  後側脚柱
１５Ａ，１５Ｂ  底部キャップ（接地部）
１７  脚柱本体
１８  連結支柱（連結部材）
１９  曲がり部（離間部）
２０  座体
２０ａ  座面
２４  第１枢軸
２６  第２枢軸
３０  空間部
【図１】
2019080773.tif 000003
【図２】
2019080773.tif 000004
【図３】
2019080773.tif 000005
【図４】
2019080773.tif 000006
【図５】
2019080773.tif 000007